(57)【要約】【課題】光源ランプの冷却を効率良く行える使い勝手に優れる投射型映像表示装置を提供する。【解決手段】スタンバイ移行指示の入力に基づいて、光源ランプ１２１の消灯後、電源部からの電力供給が遮断されるまでにＣＰＵの制御下にて冷却用ファン１３が回転駆動されて光源ランプ１２１が冷却される冷却時間を計時するタイマと、光源ランプが消灯される毎にタイマにより計時される冷却時間に基づいて、これまでの光源ランプの平均冷却時間を算出する処理を行うＣＰＵと、光源ランプの温度を検出する温度センサと、光源ランプの使用時間を計時するタイマと、光源ランプの平均冷却時間、光源ランプの温度及び光源ランプの使用時間に係る回転速度調整量に基づいて冷却用ファンの回転速度を調整し、当該回転速度及び平均冷却時間に従って冷却用ファンを回転駆動させる処理を行うＣＰＵとを備えるプロジェクター１００である。【選択図】図１
2007003638.tif 000002
【特許請求の範囲】
【請求項１】
光学像を形成するための光源ランプと、前記光源ランプを冷却する冷却用ファンと、前記冷却用ファンを回転駆動させるファン駆動制御手段と、前記ファン駆動制御手段に対して電力を供給する電力供給手段とを備える投射型映像表示装置であって、
前記光源ランプを消灯させて当該投射型映像表示装置をスタンバイモードに移行させるスタンバイ移行指示を出力するためのスタンバイモード指示手段と、
前記スタンバイモード指示手段から出力された前記スタンバイ移行指示の入力に基づいて、前記光源ランプの消灯後、前記電力供給手段から前記ファン駆動制御手段に対する電力供給が遮断されるまでに当該ファン駆動制御手段により前記冷却用ファンが所定の回転速度で回転駆動されて前記光源ランプが冷却される冷却時間を計時する冷却時間計時手段と、
前記光源ランプが消灯される毎に前記冷却時間計時手段により計時される前記冷却時間に基づいて、これまでの前記光源ランプの平均冷却時間を算出する平均時間算出手段と、
前記光源ランプの平均冷却時間と前記ファン駆動制御手段により回転駆動される前記冷却用ファンの回転速度の調整に係る平均冷却時間調整情報とを対応付けて記録する平均冷却時間調整情報記録手段と、
前記光源ランプの温度を検出する温度検出手段と、
前記光源ランプの温度と前記ファン駆動制御手段により回転駆動される前記冷却用ファンの回転速度の調整に係る温度調整情報とを対応付けて記録する温度調整情報記録手段と、
前記光源ランプの使用時間を計時する使用時間計時手段と、
前記光源ランプの使用時間と前記ファン駆動制御手段により回転駆動される前記冷却用ファンの回転速度の調整に係る使用時間調整情報とを対応付けて記録する使用時間調整情報記録手段と、
前記平均時間算出手段により算出された前記平均冷却時間に対応する前記平均冷却時間調整情報を前記平均冷却時間調整情報記録手段から取得する平均冷却時間調整情報取得手段と、
前記温度検出手段により検出された前記光源ランプの温度に対応する前記温度調整情報を前記温度調整情報記録手段から取得する温度調整情報取得手段と、
前記使用時間計時手段により計時された前記光源ランプの使用時間に対応する前記使用時間調整情報を前記使用時間調整情報記録手段から取得する使用時間調整情報取得手段と、を備え、
前記ファン駆動制御手段は、前記平均冷却時間調整情報取得手段により取得された前記平均冷却時間調整情報、前記温度調整情報取得手段により取得された前記温度調整情報、及び前記使用時間調整情報取得手段により取得された前記使用時間調整情報に基づいて前記冷却用ファンの回転速度を調整し、調整された前記回転速度、及び前記平均時間算出手段により算出された前記平均冷却時間に従って前記冷却用ファンを回転駆動させることを特徴とする投射型映像表示装置。
【請求項２】
光学像を形成するための光源ランプと、前記光源ランプを冷却する冷却用ファンと、前記冷却用ファンを回転駆動させるファン駆動制御手段と、前記ファン駆動制御手段に対して電力を供給する電力供給手段とを備える投射型映像表示装置であって、
前記光源ランプを消灯させて当該投射型映像表示装置をスタンバイモードに移行させるスタンバイ移行指示を出力するためのスタンバイモード指示手段と、
前記スタンバイモード指示手段から出力された前記スタンバイ移行指示の入力に基づいて、前記光源ランプの消灯後、前記電力供給手段から前記ファン駆動制御手段に対する電力供給が遮断されるまでに当該ファン駆動制御手段により前記冷却用ファンが所定の回転速度で回転駆動されて前記光源ランプが冷却される冷却時間を計時する冷却時間計時手段と、
前記光源ランプが消灯される毎に前記冷却時間計時手段により計時される前記冷却時間に基づいて、これまでの前記光源ランプの平均冷却時間を算出する平均時間算出手段と、
前記光源ランプの平均冷却時間と前記ファン駆動制御手段により回転駆動される前記冷却用ファンの回転速度の調整に係る平均冷却時間調整情報とを対応付けて記録する平均冷却時間調整情報記録手段と、
前記平均時間算出手段により算出された前記平均冷却時間に対応する前記平均冷却時間調整情報を前記平均冷却時間調整情報記録手段から取得する平均冷却時間調整情報取得手段と、を備え、
前記ファン駆動制御手段は、前記平均冷却時間調整情報取得手段により取得された前記平均冷却時間調整情報に基づいて前記冷却用ファンの回転速度を調整し、調整された前記回転速度、及び前記平均時間算出手段により算出された前記平均冷却時間に従って前記冷却用ファンを回転駆動させることを特徴とする投射型映像表示装置。
【請求項３】
前記光源ランプの温度を検出する温度検出手段と、
前記光源ランプの温度と前記ファン駆動制御手段により回転駆動される前記冷却用ファンの回転速度の調整に係る温度調整情報とを対応付けて記録する温度調整情報記録手段と、
前記温度検出手段により検出された前記光源ランプの温度に対応する前記温度調整情報を前記温度調整情報記録手段から取得する温度調整情報取得手段と、を備え、
前記ファン駆動制御手段は、さらに、前記温度調整情報取得手段により取得された前記温度調整情報に基づいて、前記冷却用ファンの回転速度を調整することを特徴とする請求項２に記載の投射型映像表示装置。
【請求項４】
前記光源ランプの使用時間を計時する使用時間計時手段と、
前記光源ランプの使用時間と前記ファン駆動制御手段により回転駆動される前記冷却用ファンの回転速度の調整に係る使用時間調整情報とを対応付けて記録する使用時間調整情報記録手段と、
前記使用時間計時手段により計時された前記光源ランプの使用時間に対応する前記使用時間調整情報を前記使用時間調整情報記録手段から取得する使用時間調整情報取得手段と、を備え、
前記ファン駆動制御手段は、さらに、前記使用時間調整情報取得手段により取得された前記使用時間調整情報に基づいて、前記冷却用ファンの回転速度を調整することを特徴とする請求項２に記載の投射型映像表示装置。
【請求項５】
前記光源ランプの温度を検出する温度検出手段と、
前記光源ランプの温度と前記ファン駆動制御手段により回転駆動される前記冷却用ファンの回転速度の調整に係る温度調整情報とを対応付けて記録する温度調整情報記録手段と、
前記光源ランプの使用時間を計時する使用時間計時手段と、
前記光源ランプの使用時間と前記ファン駆動制御手段により回転駆動される前記冷却用ファンの回転速度の調整に係る使用時間調整情報とを対応付けて記録する使用時間調整情報記録手段と、
前記温度検出手段により検出された前記光源ランプの温度に対応する前記温度調整情報を前記温度調整情報記録手段から取得する温度調整情報取得手段と、
前記使用時間計時手段により計時された前記光源ランプの使用時間に対応する前記使用時間調整情報を前記使用時間調整情報記録手段から取得する使用時間調整情報取得手段と、を備え、
前記ファン駆動制御手段は、さらに、前記温度調整情報取得手段により取得された前記温度調整情報、及び前記使用時間調整情報取得手段により取得された前記使用時間調整情報に基づいて、前記冷却用ファンの回転速度を調整することを特徴とする請求項２に記載
の投射型映像表示装置。
【発明の詳細な説明】
【技術分野】
【０００１】
本発明は、冷却用ファンを回転駆動させて光源ランプの冷却を行う投射型映像表示装置に関する。
【背景技術】
【０００２】
従来、プロジェクター等の投射型映像表示装置には、画像データに基づいて所定の光学像を形成するための光源ランプが搭載されている。
【０００３】
かかる投射型映像表示装置にあっては、使用により光源ランプが発熱することから、当該光源ランプを冷却用ファンの回転により空冷するようになっている。具体的には、例えば、使用される光源ランプを識別し、識別された光源ランプに応じてその駆動電力や冷却用ファンの回転速度を変更するように構成された投射型映像表示装置が開発されている（例えば、特許文献１参照。）。また、ユーザにより光源ランプの所望の冷却条件が選択可能に構成された投射型映像表示装置も開発されている（例えば、特許文献２参照。）。
【特許文献１】特開２００１−３３２３９４号公報
【特許文献２】特開２００４−２１１０３号公報
【発明の開示】
【発明が解決しようとする課題】
【０００４】
ところで、光源ランプの冷却は、例えば、当該光源ランプの消灯後に冷却用ファンを所定の回転速度で少なくとも一定時間、例えば１分間回転駆動させることにより行われるようになっているが、投射型映像表示装置の使用状況によっては、光源ランプの冷却時間を一定時間確保できずに途中で電源が落とされてしまう場合もある。この場合、光源ランプの冷却を十分に行うことができないことから、当該光源ランプの寿命が短縮してしまうといった問題もある。
【０００５】
また、かかる場合には、光源ランプの冷却が十分ではないことから、続けて投射型映像表示装置を使用する際に光源ランプを点灯させる所定操作を行っても、当該光源ランプを冷却するための冷却用ファンの回転駆動を所定時間行った後でないと、光源ランプの点灯を行うことができないようになっているものもある。
【０００６】
このように、予め設定された一定の冷却時間を確保することができない場合には、光源ランプの冷却を十分に行うことができないだけでなく、その後の投射型映像表示装置の使い勝手が悪くなってしまうといった問題がある。
【０００７】
なお、光源ランプの冷却を急速に行う上で、冷却用ファンの回転速度をより高速にすることが考えられるが、冷却用ファンの回転速度が高速になるほど騒音が大きくなってしまうといった問題もあるため、かかる問題も考慮して光源ランプの冷却を効率良く行うことを検討する必要がある。
【０００８】
そこで、本発明の課題は、光源ランプの冷却を効率良く行うことができる使い勝手に優れる投射型映像表示装置を提供することである。
【課題を解決するための手段】
【０００９】
上記課題を解決するため、請求項１に記載の発明は、
光学像を形成するための光源ランプと、前記光源ランプを冷却する冷却用ファンと、前記冷却用ファンを回転駆動させるファン駆動制御手段と、前記ファン駆動制御手段に対して電力を供給する電力供給手段とを備える投射型映像表示装置であって、
前記光源ランプを消灯させて当該投射型映像表示装置をスタンバイモードに移行させるスタンバイ移行指示を出力するためのスタンバイモード指示手段と、
前記スタンバイモード指示手段から出力された前記スタンバイ移行指示の入力に基づいて、前記光源ランプの消灯後、前記電力供給手段から前記ファン駆動制御手段に対する電力供給が遮断されるまでに当該ファン駆動制御手段により前記冷却用ファンが所定の回転速度で回転駆動されて前記光源ランプが冷却される冷却時間を計時する冷却時間計時手段と、
前記光源ランプが消灯される毎に前記冷却時間計時手段により計時される前記冷却時間に基づいて、これまでの前記光源ランプの平均冷却時間を算出する平均時間算出手段と、
前記光源ランプの平均冷却時間と前記ファン駆動制御手段により回転駆動される前記冷却用ファンの回転速度の調整に係る平均冷却時間調整情報とを対応付けて記録する平均冷却時間調整情報記録手段と、
前記光源ランプの温度を検出する温度検出手段と、
前記光源ランプの温度と前記ファン駆動制御手段により回転駆動される前記冷却用ファンの回転速度の調整に係る温度調整情報とを対応付けて記録する温度調整情報記録手段と、
前記光源ランプの使用時間を計時する使用時間計時手段と、
前記光源ランプの使用時間と前記ファン駆動制御手段により回転駆動される前記冷却用ファンの回転速度の調整に係る使用時間調整情報とを対応付けて記録する使用時間調整情報記録手段と、
前記平均時間算出手段により算出された前記平均冷却時間に対応する前記平均冷却時間調整情報を前記平均冷却時間調整情報記録手段から取得する平均冷却時間調整情報取得手段と、
前記温度検出手段により検出された前記光源ランプの温度に対応する前記温度調整情報を前記温度調整情報記録手段から取得する温度調整情報取得手段と、
前記使用時間計時手段により計時された前記光源ランプの使用時間に対応する前記使用時間調整情報を前記使用時間調整情報記録手段から取得する使用時間調整情報取得手段と、を備え、
前記ファン駆動制御手段は、前記平均冷却時間調整情報取得手段により取得された前記平均冷却時間調整情報、前記温度調整情報取得手段により取得された前記温度調整情報、及び前記使用時間調整情報取得手段により取得された前記使用時間調整情報に基づいて前記冷却用ファンの回転速度を調整し、調整された前記回転速度、及び前記平均時間算出手段により算出された前記平均冷却時間に従って前記冷却用ファンを回転駆動させることを特徴としている。
【００１０】
請求項２に記載の発明は、
光学像を形成するための光源ランプと、前記光源ランプを冷却する冷却用ファンと、前記冷却用ファンを回転駆動させるファン駆動制御手段と、前記ファン駆動制御手段に対して電力を供給する電力供給手段とを備える投射型映像表示装置であって、
前記光源ランプを消灯させて当該投射型映像表示装置をスタンバイモードに移行させるスタンバイ移行指示を出力するためのスタンバイモード指示手段と、
前記スタンバイモード指示手段から出力された前記スタンバイ移行指示の入力に基づいて、前記光源ランプの消灯後、前記電力供給手段から前記ファン駆動制御手段に対する電力供給が遮断されるまでに当該ファン駆動制御手段により前記冷却用ファンが所定の回転速度で回転駆動されて前記光源ランプが冷却される冷却時間を計時する冷却時間計時手段と、
前記光源ランプが消灯される毎に前記冷却時間計時手段により計時される前記冷却時間に基づいて、これまでの前記光源ランプの平均冷却時間を算出する平均時間算出手段と、
前記光源ランプの平均冷却時間と前記ファン駆動制御手段により回転駆動される前記冷却用ファンの回転速度の調整に係る平均冷却時間調整情報とを対応付けて記録する平均冷却時間調整情報記録手段と、
前記平均時間算出手段により算出された前記平均冷却時間に対応する前記平均冷却時間
調整情報を前記平均冷却時間調整情報記録手段から取得する平均冷却時間調整情報取得手段と、を備え、
前記ファン駆動制御手段は、前記平均冷却時間調整情報取得手段により取得された前記平均冷却時間調整情報に基づいて前記冷却用ファンの回転速度を調整し、調整された前記回転速度、及び前記平均時間算出手段により算出された前記平均冷却時間に従って前記冷却用ファンを回転駆動させることを特徴としている。
【００１１】
請求項３に記載の発明は、請求項２に記載の投射型映像表示装置において、
前記光源ランプの温度を検出する温度検出手段と、
前記光源ランプの温度と前記ファン駆動制御手段により回転駆動される前記冷却用ファンの回転速度の調整に係る温度調整情報とを対応付けて記録する温度調整情報記録手段と、
前記温度検出手段により検出された前記光源ランプの温度に対応する前記温度調整情報を前記温度調整情報記録手段から取得する温度調整情報取得手段と、を備え、
前記ファン駆動制御手段は、さらに、前記温度調整情報取得手段により取得された前記温度調整情報に基づいて、前記冷却用ファンの回転速度を調整することを特徴としている。
【００１２】
請求項４に記載の発明は、請求項２に記載の投射型映像表示装置において、
前記光源ランプの使用時間を計時する使用時間計時手段と、
前記光源ランプの使用時間と前記ファン駆動制御手段により回転駆動される前記冷却用ファンの回転速度の調整に係る使用時間調整情報とを対応付けて記録する使用時間調整情報記録手段と、
前記使用時間計時手段により計時された前記光源ランプの使用時間に対応する前記使用時間調整情報を前記使用時間調整情報記録手段から取得する使用時間調整情報取得手段と、を備え、
前記ファン駆動制御手段は、さらに、前記使用時間調整情報取得手段により取得された前記使用時間調整情報に基づいて、前記冷却用ファンの回転速度を調整することを特徴としている。
【００１３】
請求項５に記載の発明は、請求項２に記載の投射型映像表示装置において、
前記光源ランプの温度を検出する温度検出手段と、
前記光源ランプの温度と前記ファン駆動制御手段により回転駆動される前記冷却用ファンの回転速度の調整に係る温度調整情報とを対応付けて記録する温度調整情報記録手段と、
前記光源ランプの使用時間を計時する使用時間計時手段と、
前記光源ランプの使用時間と前記ファン駆動制御手段により回転駆動される前記冷却用ファンの回転速度の調整に係る使用時間調整情報とを対応付けて記録する使用時間調整情報記録手段と、
前記温度検出手段により検出された前記光源ランプの温度に対応する前記温度調整情報を前記温度調整情報記録手段から取得する温度調整情報取得手段と、
前記使用時間計時手段により計時された前記光源ランプの使用時間に対応する前記使用時間調整情報を前記使用時間調整情報記録手段から取得する使用時間調整情報取得手段と、を備え、
前記ファン駆動制御手段は、さらに、前記温度調整情報取得手段により取得された前記温度調整情報、及び前記使用時間調整情報取得手段により取得された前記使用時間調整情報に基づいて、前記冷却用ファンの回転速度を調整することを特徴としている。
【発明の効果】
【００１４】
請求項１に記載の発明によれば、スタンバイモードに移行されて光源ランプの消灯後、
電力供給手段からファン駆動制御手段に対する電力供給が遮断されるまでに当該ファン駆動制御手段により冷却用ファンが所定の回転速度で回転駆動されて光源ランプが冷却される冷却時間が計時され、光源ランプが消灯される毎に計時される冷却時間に基づいて、これまでの光源ランプの平均冷却時間が算出され、さらに、当該平均冷却時間に対応する、冷却用ファンの回転速度の調整に係る平均冷却時間調整情報が平均冷却時間調整情報記録手段から取得され、また、光源ランプの温度に対応する、冷却用ファンの回転速度の調整に係る温度調整情報が温度調整情報記録手段から取得され、また、光源ランプの使用時間に対応する、冷却用ファンの回転速度の調整に係る使用時間調整情報が使用時間調整情報記録手段から取得される。そして、これら平均冷却時間調整情報、温度調整情報及び使用時間調整情報に基づいて冷却用ファンの回転速度が調整され、当該回転速度、及び、算出された光源ランプの平均冷却時間に従って冷却用ファンが回転駆動するようになっている。即ち、ユーザによる使用状況及び光源ランプの使用状態を考慮して、これまでの光源ランプの平均冷却時間内で光源ランプの冷却を行うことができるように、冷却用ファンの回転速度を平均冷却時間調整情報、温度調整情報及び使用時間調整情報に基づいて適正に調整することができる。
【００１５】
これにより、冷却用ファンの回転速度を必要以上に高速化することなく、光源ランプの冷却を効率良く行うことができる。加えて、当該冷却用ファンの回転速度の高速化に伴って発生する騒音が大きくなるのを防止して使い勝手に優れる投射型映像表示装置を提供することができる。
【００１６】
請求項２に記載の発明によれば、スタンバイモードに移行されて光源ランプの消灯後、電力供給手段からファン駆動制御手段に対する電力供給が遮断されるまでに当該ファン駆動制御手段により冷却用ファンが所定の回転速度で回転駆動されて光源ランプが冷却される冷却時間が計時され、光源ランプが消灯される毎に計時される冷却時間に基づいて、これまでの光源ランプの平均冷却時間が算出され、さらに、当該平均冷却時間に対応する、冷却用ファンの回転速度の調整に係る平均冷却時間調整情報が平均冷却時間調整情報記録手段から取得される。そして、平均冷却時間調整情報に基づいて冷却用ファンの回転速度が調整され、当該回転速度、及び、算出された光源ランプの平均冷却時間に従って冷却用ファンが回転駆動するようになっている。即ち、ユーザによる使用状況を考慮して、これまでの光源ランプの平均冷却時間内で光源ランプの冷却を行うことができるように、冷却用ファンの回転速度を平均冷却時間調整情報に基づいて適正に調整することができる。
【００１７】
これにより、冷却用ファンの回転速度を必要以上に高速化することなく、光源ランプの冷却を効率良く行うことができる。加えて、当該冷却用ファンの回転速度の高速化に伴って発生する騒音が大きくなるのを防止して使い勝手に優れる投射型映像表示装置を提供することができる。
【００１８】
請求項３に記載の発明によれば、請求項２に記載の発明と同様の効果が得られるのは無論のこと、特に、光源ランプの温度に対応する、冷却用ファンの回転速度の調整に係る温度調整情報が温度調整情報記録手段から取得され、当該温度調整情報に基づいて、冷却用ファンの回転速度が調整されるようになっているので、冷却用ファンの回転速度の調整を光源ランプの使用状態を考慮してより適正に行うことができ、光源ランプの冷却をより効率良く行うことができる。
【００１９】
請求項４に記載の発明によれば、請求項２に記載の発明と同様の効果が得られるのは無論のこと、特に、光源ランプの使用時間に対応する、冷却用ファンの回転速度の調整に係る使用時間調整情報が使用時間調整情報記録手段から取得され、当該使用時間調整情報に基づいて、冷却用ファンの回転速度が調整されるようになっているので、冷却用ファンの回転速度の調整を光源ランプの使用状態を考慮してより適正に行うことができ、光源ランプの冷却をより効率良く行うことができる。
【００２０】
請求項５に記載の発明によれば、請求項２に記載の発明と同様の効果が得られるのは無論のこと、特に、光源ランプの温度に対応する、冷却用ファンの回転速度の調整に係る温度調整情報が温度調整情報記録手段から取得され、また、光源ランプの使用時間に対応する、冷却用ファンの回転速度の調整に係る使用時間調整情報が使用時間調整情報記録手段から取得され、これら温度調整情報及び使用時間調整情報に基づいて、冷却用ファンの回転速度が調整されるようになっているので、冷却用ファンの回転速度の調整を光源ランプの使用状態を考慮してより適正に行うことができ、光源ランプの冷却をより効率良く行うことができる。
【発明を実施するための最良の形態】
【００２１】
以下に、本発明について、図面を用いて具体的な態様を説明する。ただし、発明の範囲は、図示例に限定されない。
【００２２】
図１は、本発明を適用した投射型映像表示装置の好適な一実施形態として例示するプロジェクター１００を示す斜視図であり、図２は、プロジェクター１００の要部構成を示すブロック図である。なお、図１にあっては、プロジェクター１００を構成するプロジェクター本体１のケース体１１（後述）を開放した状態を示し、また、リモートコントローラ２（後述）の図示は省略している。
【００２３】
本発明に係るプロジェクター（投射型映像表示装置）１００は、例えば、パーソナルコンピュータやビデオカメラ（図示略）等から入力された画像情報に基づいて画像を形成し、形成した画像を前方に設けられたスクリーン（図示略）などに拡大して投影する装置であり、具体的には、図１及び図２に示すように、プロジェクター本体１と、このプロジェクター本体１を遠隔操作するためのリモートコントローラ２（「リモコン」；図２参照）とを備えて構成されている。
【００２４】
先ず、プロジェクター本体１について説明する。
【００２５】
プロジェクター本体１は、ケース体１１内に、画像（映像）を投影する投影部１２と、投影部１２に備わる光源ランプ１２１を冷却する冷却用ファン１３と、光源ランプ１２１の温度を検出する温度センサ１４と、リモコン２から送信された信号を受信する信号受信部１５と、ＥＥＰＲＯＭ１６と、ＲＡＭ１７と、ＣＰＵ１８と、タイマ１９と、各部に対する電源を供給するための電源部１０等を備えている。
【００２６】
投影部１２は、例えば、高輝度の光を出射する光源ランプ１２１と、光源ランプ１２１から出射された光を反射する反射ミラー１２２と、反射ミラー１２２により反射された光が入射されるＤＭＤ（Digital Micromirror Device）１２３と、ＤＭＤ１２３により反射された光が通過する光学レンズ１２４とを備えて構成されている。
【００２７】
光源ランプ１２１は、例えば、メタルハライドランプや超高圧水銀ランプ等から構成され、ＤＭＤ１２３により光学変調される光を出射するものである。
【００２８】
ＤＭＤ１２３は、例えば、光源ランプ１２１から出射され反射ミラー１２２にて反射されることで入射された光を画像情報に応じて変調することにより光学像を形成する光学変調素子として機能する。
【００２９】
光学レンズ１２４は、例えば、ズームレンズ等により構成され、ＤＭＤ１２３によって変調された光（光学像）を集光してスクリーンなどに拡大投影するものである。
【００３０】
温度センサ１４は、例えば、光源ランプ１２１の近傍の所定位置（図示略）に配設されており、当該光源ランプ１２１の使用の際の温度を所定のタイミングで検出し、検出された温度に係る所定の温度情報をＣＰＵ１８に対して出力するようになっている。
【００３１】
冷却用ファン１３は、例えば、光源ランプ１２１の近傍の所定位置に配設されており、
ＣＰＵ１８の制御下にて回転駆動して、光源ランプ１２１を空冷するものである。具体的には、冷却用ファン１３は、ユーザによるスタンバイ状態切替スイッチ２２の操作に基づいてスタンバイモードに移行して光源ランプ１２１が消灯された後に、所定の回転速度で高速回転して光源ランプ１２１を冷却するようになっている（光源ランプ冷却処理）。
【００３２】
ここで、本実施形態のプロジェクター１００にあっては、電源部１０からの電力供給が行われている状態では、冷却用ファン１３は所定の回転速度で回転するようになっているが、本発明に係る冷却用ファン１３による光源ランプ冷却処理（詳細後述）とは、光源ランプ１２１の消灯後に冷却用ファン１３を所定時間、高速回転させる処理を言うものとする。
【００３３】
なお、冷却用ファン１３の配置や個数等は、適宜変更しても良い。
【００３４】
信号受信部１５は、リモコン２の信号送信部から送信された所定の信号を受信するものである。具体的には、信号受信部１５は、例えばユーザによるリモコン２のスタンバイ状態切替スイッチ２２の所定操作に基づいて当該リモコン２の信号送信部から送信されたスタンバイ移行指示信号等の所定の信号をアンテナ（図示略）等により受信するようになっている。
【００３５】
また、信号受信部１５は、受信された所定の信号をＣＰＵ１８に対して出力するようになっている。
【００３６】
タイマ１９は、例えば、計時回路を備え、光源ランプ１２１の使用時間や光源ランプ１２１の冷却時間等を計時するものである。
【００３７】
具体的には、タイマ１９は、使用時間計時手段として、電源投入後に点灯された光源ランプ１２１の使用時間（点灯時間）を計時するようになっている。また、タイマ１９は、冷却時間計時手段として、ユーザによるスタンバイ状態切替スイッチ２２の操作に応じて信号送信部２３から送信されたスタンバイ移行指示信号の信号受信部１５による受信に基づいて、光源ランプ１２１の消灯後、電源部１０からの電力供給が遮断されるまでにＣＰＵ１８の制御下にて冷却用ファン１３が回転駆動されて光源ランプ１２１が冷却される冷却時間を計時するようになっている。
【００３８】
なお、タイマ１９により計時された光源ランプ１２１の使用時間や光源ランプ１２１の冷却時間等に係る時間情報は、例えば、ＣＰＵ１８に対して出力され、当該ＣＰＵ１８の制御下にてＥＥＰＲＯＭ１６の所定の格納領域内に格納されるようになっている。
【００３９】
ここで、光源ランプ１２１の冷却時間が、所定の時間、例えば１分を越えた場合には、当該冷却時間は１分間であるとしてその情報が格納されるようになっている。また、光源ランプ１２１の冷却時間に係る情報は、例えば、タイマ１９により計時された時間を積算した合計冷却時間情報として、タイマ１９による計時回数を積算した合計回数情報とともにＥＥＰＲＯＭ１６に格納されるようになっている。
【００４０】
電源部１０は、ＣＰＵ１８の制御下にて、当該プロジェクター本体１を構成する各部に電力を供給するものである。
【００４１】
また、電源部１０は、例えば、当該プロジェクター本体１の主電源のオン／オフ操作を行うための電源スイッチ１０１を備えている。即ち、電源スイッチ１０１のユーザによる所定操作に基づいて、当該プロジェクター本体１の電源がオンされると、電源部１０から各部に電力が供給されることとなって、光源ランプ１２１、冷却用ファン１３等が駆動するようになっている。一方、電源スイッチ１０１のユーザによる所定操作に基づいて、当該プロジェクター本体１の電源がオフされると、電源部１０からの電力供給が遮断されるようになっている。
【００４２】
なお、タイマ１９によって電源部１０からの電力供給が遮断されるまでの光源ランプ１２１の冷却時間を計時して、計時された冷却時間をＥＥＰＲＯＭ１６等に格納する場合、
これらの処理に係る電力は、電源部１０からの電力供給が遮断された後であっても、例えばコンデンサ等の内部電源に蓄積された電気を利用することで行えるようになっている。
【００４３】
ＣＰＵ（Central Processing Unit）１８は、プロジェクター１００の各部を統括的に
制御するものであり、ＥＥＰＲＯＭ１６に記憶されている各種プログラムを読み出してＲＡＭ１７の作業領域に展開し、当該プログラムに従って各種処理を実行するようになっている。
【００４４】
具体的には、ＣＰＵ１８は、例えばリモコン２から送信されて信号受信部１５により受信されたスタンバイ移行指示信号に基づいて、所定の制御プログラムを実行して、当該プロジェクター１００をスタンバイモードに移行させて光源ランプ１２１を消灯させる処理の実行を制御するようになっている。その後、ＣＰＵ１８は、所定のプログラムの実行に基づいて、使用後の光源ランプ１２１を冷却用ファン１３を回転駆動させることにより空冷する光源ランプ冷却処理の実行を制御するようになっている。
【００４５】
なお、スタンバイモードとは、少なくとも光源ランプ１２１を消灯した状態とするモードであるが、これに限られるものではなく、電源部１０からの電力供給を制御して他の各部の機能の実行も制限するようにしても良い。
【００４６】
ＲＡＭ（Random Access Memory）１７は、例えば、書き換え可能なメモリであり、ＣＰＵ１８の制御下にて記憶部から読み出されたプログラムや各種データ等の格納領域や作業領域等を構成している。
【００４７】
ＥＥＰＲＯＭ（Electronically Erasable and Programmable Read Only Memory ）１６は、例えば、電気的にデータの書きこみ、及び消去が可能な読み出し専用のメモリであり、ＣＰＵ１８の制御下にて実行される各種プログラム、各プログラムの処理に係るデータ等を記憶している。
【００４８】
具体的には、ＥＥＰＲＯＭ１６は、例えば、ファン駆動制御プログラム１６ａ、平均時間算出プログラム１６ｂ、平均冷却時間調整情報取得プログラム１６ｃ、温度調整情報取得プログラム１６ｄ、使用時間調整情報取得プログラム１６ｅ等を記憶している。
【００４９】
ファン駆動制御プログラム１６ａは、ＣＰＵ１８の制御下にて冷却用ファン１３を所定の回転速度で回転駆動させる処理に係る機能を実現させるためのプログラムである。即ち、電源スイッチ１０１のオン操作に基づいて電源部１０からの電力供給が行われている状態にあっては、ＣＰＵ１８は、冷却用ファン１３の回転駆動を制御して、当該冷却用ファン１３を所定の速度で回転駆動させるようになっている。そして、リモコン２から出力されたスタンバイ移行指示がＣＰＵ１８に入力されると、ＣＰＵ１８は、ファン駆動制御手段として、光源ランプ１２１を冷却させるために冷却用ファン１３の回転速度をより高速に変更（調整）するようになっている。
【００５０】
具体的には、ＣＰＵ１８は、後述する平均冷却時間調整情報取得処理にて取得された回転速度調整量（平均冷却時間調整情報）に基づいて冷却用ファン１３の回転速度を高速に調整して、調整された回転速度、及び平均時間算出処理にて算出された平均冷却時間に従って冷却用ファン１３を回転駆動させるようになっている。
【００５１】
また、冷却用ファン１３の回転速度の調整において、ＣＰＵ１８は、温度調整情報取得処理（後述）にて取得された回転速度調整量（温度調整情報）に基づいて冷却用ファン１３の回転速度を調整するようになっている。さらに、ＣＰＵ１８は、使用時間調整情報取得処理（後述）にて取得された回転速度調整量（使用時間調整情報）に基づいて冷却用ファン１３の回転速度を調整するようになっている。
【００５２】
平均時間算出プログラム１６ｂは、ＣＰＵ１８に、平均時間算出手段として、スタンバイモード移行後に光源ランプが消灯される毎にタイマ１９により計時される光源ランプ１
２１の冷却時間に基づいて、これまでの光源ランプ１２１の平均冷却時間を算出する平均冷却時間算出処理に係る機能を実現させるためのプログラムである。
【００５３】
即ち、ＣＰＵ１８による平均時間算出プログラム１６ｂの実行に基づいて、ＥＥＰＲＯＭ１６から光源ランプ１２１の冷却時間に係る情報としての合計冷却時間情報と合計回数情報を読み出して、合計冷却時間を合計回数で除算することにより、これまでの光源ランプ１２１の平均冷却時間を算出するようになっている。
【００５４】
なお、平均冷却時間算出処理は、例えば、電源部１０からの電力供給が開始された後、光源ランプ１２１が消灯されるまでに実行可能であれば如何なるタイミングで実行されても良い。
【００５５】
平均冷却時間調整情報取得プログラム１６ｃは、ＣＰＵ１８に、平均冷却時間調整情報取得手段として、平均冷却時間算出処理にて算出された平均冷却時間に対応する回転速度調整量を平均冷却時間調整テーブルｔ１から取得する平均冷却時間調整情報取得処理に係る機能を実現させるためのプログラムである。
【００５６】
なお、平均冷却時間調整情報取得処理は、例えば、平均冷却時間算出処理後、光源ランプ１２１が消灯されるまでに実行可能であれば如何なるタイミングで実行されても良い。
【００５７】
温度調整情報取得プログラム１６ｄは、ＣＰＵ１８に、温度調整情報取得手段として、温度センサ１４により検出された光源ランプ１２１の温度に対応する回転速度調整量を温度調整テーブルｔ２から取得する温度調整情報取得処理に係る機能を実現させるためのプログラムである。
【００５８】
なお、温度調整情報取得処理は、例えば、平均冷却時間算出処理後、光源ランプ１２１が消灯されるまでに実行可能であれば如何なるタイミングで実行されても良い。
【００５９】
使用時間調整情報取得プログラム１６ｅは、ＣＰＵ１８に、使用時間調整情報取得手段として、タイマ１９により計時された光源ランプ１２１の使用時間に対応する回転速度調整量を使用時間調整テーブルｔ３から取得する使用時間調整情報取得処理に係る機能を実現させるためのプログラムである。
【００６０】
なお、使用時間調整情報取得処理は、例えば、平均冷却時間算出処理後、光源ランプ１２１が消灯されるまでに実行可能であれば如何なるタイミングで実行されても良い。
【００６１】
また、ＥＥＰＲＯＭ１６には、例えば、プロジェクター１００による光源ランプ冷却処理にて用いられる平均冷却時間調整テーブルｔ１（図３参照）、温度調整テーブルｔ２（図４参照）、使用時間調整テーブルｔ３（図５参照）が記憶されている。
【００６２】
平均冷却時間調整テーブルｔ１は、例えば、光源ランプ１２１の平均冷却時間と、当該平均冷却時間内にて光源ランプ１２１を適正に冷却することができるようにして予め規定された冷却用ファン１３の回転速度の調整に係る回転速度調整量（平均冷却時間調整情報）とが対応付けられたものである。ここで、ＥＥＰＲＯＭ１６は、平均冷却時間調整テーブルｔ１を記録する平均冷却時間調整情報記録手段を構成している。
【００６３】
温度調整テーブルｔ２は、例えば、光源ランプ１２１の温度と、当該温度の光源ランプ１２１を適正に冷却することができるようにして予め規定された冷却用ファン１３の回転速度の調整に係る回転速度調整量（温度調整情報）とが対応付けられたものである。ここで、ＥＥＰＲＯＭ１６は、温度調整テーブルｔ２を記録する温度調整情報記録手段を構成している。
【００６４】
使用時間調整テーブルｔ３は、例えば、光源ランプ１２１の使用時間と、当該時間経過後の光源ランプ１２１を適正に冷却することができるようにして予め規定された冷却用ファン１３の回転速度の調整に係る回転速度調整量（使用時間調整情報）とが対応付けられたものである。ここで、ＥＥＰＲＯＭ１６は、使用時間調整テーブルｔ３を記録する使用時間調整情報記録手段を構成している。
【００６５】
なお、平均冷却時間調整テーブルｔ１、温度調整テーブルｔ２及び使用時間調整テーブルｔ３に係る回転速度調整量とは、例えば、冷却用ファン１３の最大回転速度を１００とした場合の回転速度調整前の指標となる所定の回転速度（例えば、６５等）に対する回転速度の調整量を表したものである。
【００６６】
即ち、平均冷却時間調整テーブルｔ１にあっては、平均冷却時間が短くなる程、つまり、光源ランプ１２１の消灯後に電源オフされるまでの時間が短くなる程、回転速度調整量が大きくなって冷却用ファン１３の回転速度をより高速に回転させるように調整することができるように規定されている。
【００６７】
また、温度調整テーブルｔ２にあっては、光源ランプ１２１の温度が高くなる程、回転速度調整量が大きくなって冷却用ファン１３の回転速度をより高速に回転させるように調整することができるように規定されている。
【００６８】
また、使用時間調整テーブルｔ３にあっては、光源ランプ１２１の使用時間が長くなる程、回転速度調整量が大きくなって冷却用ファン１３の回転速度をより高速に回転させるように調整することができるように規定されている。
【００６９】
なお、平均冷却時間調整テーブルｔ１、温度調整テーブルｔ２及び使用時間調整テーブルｔ３に係る回転速度調整量の数値は、一例であって、これらに限定されるものではない。
【００７０】
次に、リモコン２について説明する。
【００７１】
リモコン２は、制御部２１と、プロジェクター本体１をスタンバイモードに移行させるためのスタンバイ状態切替スイッチ２２と、当該リモコン２の所定操作に基づいて出力される所定の信号を送信する信号送信部２３等を備えている。
【００７２】
制御部２１は、例えば、ＣＰＵ、メモリ等から構成されており、当該リモコン２の各部を統括的に制御するようになっている。
【００７３】
スタンバイ状態切替スイッチ２２は、ユーザによる所定操作に基づいて、当該プロジェクター１００のスタンバイモードと画像投影モードとを切り替えるためのものであり、具体的には、当該スタンバイ状態切替スイッチ２２が所定操作される毎にスタンバイモードに移行させるスタンバイ移行指示信号と、画像投影モードに移行させる指示信号とを交互に出力するようになっている。
【００７４】
このように、スタンバイ状態切替スイッチ２２は、スタンバイモード指示手段を構成している。
【００７５】
信号送信部２３は、例えば、ユーザによるスタンバイ状態切替スイッチ２２や他の操作スイッチ（図示略）等の所定操作に基づいて、制御部２１の制御下にてスタンバイ移行指示信号等の所定の信号を送信するようになっている。
【００７６】
なお、リモコン２とプロジェクター本体１との情報通信は、例えば、無線通信方式にて行うようにしても良いし、有線通信方式にて行うようにしても良い。
【００７７】
次に、プロジェクター１００による光源ランプ冷却処理について、図６を参照して説明する。
【００７８】
ここで、図６は、光源ランプ冷却処理に係る動作の一例を示すフローチャートである。
【００７９】
以下に説明する光源ランプ冷却処理にあっては、当該プロジェクター１００が所定回数使用されることで取得された光源ランプ１２１の冷却時間に係る情報（合計冷却時間情報及び合計回数情報）がＥＥＰＲＯＭ１６の格納領域に予め格納された状態となっている。
【００８０】
先ず、ユーザによる電源スイッチ１０１の所定操作に基づいてプロジェクター１００の電源が投入（オン）されると（ステップＳ１）、ＣＰＵ１８は、画像投影モードに移行させて、所定の制御プログラムを実行して投影部１２の光源ランプ１２１を点灯させる制御を行うとともに、ファン駆動制御プログラム１６ａを実行して冷却用ファン１３を所定の回転速度で回転駆動させる制御を行う（ステップＳ２）。ここで、光源ランプ１２１が点灯状態となることに基づいて、ＣＰＵ１８は、所定の制御プログラムを実行して、タイマ１９を制御して光源ランプ１２１の使用時間の計時を開始させる（ステップＳ３）。
【００８１】
また、ＣＰＵ１８は、ＥＥＰＲＯＭ１６から平均時間算出プログラム１６ｂを読み出してＲＡＭ１７に展開し、この平均時間算出プログラム１６ｂの実行に基づいて、光源ランプ１２１の冷却時間に係る情報（合計冷却時間情報及び合計回数情報）から、これまでの光源ランプ１２１の平均冷却時間を算出する平均冷却時間算出処理を実行する（ステップＳ４）。
【００８２】
続けて、ＣＰＵ１８は、ＥＥＰＲＯＭ１６から平均冷却時間調整情報取得プログラム１６ｃを読み出してＲＡＭ１７に展開し、この平均冷却時間調整情報取得プログラム１６ｃの実行に基づいて、平均冷却時間算出処理にて算出された平均冷却時間に対応する回転速度調整量を平均冷却時間調整テーブルｔ１から取得する平均冷却時間調整情報取得処理を実行する（ステップＳ５）。
【００８３】
そして、例えばプロジェクター本体１の投影部１２を用いて画像投影が行われた後、ユーザによってリモコン２のスタンバイ状態切替スイッチ２２が所定操作されると、制御部２１は、所定の制御プログラムの実行に基づいて信号送信部２３を制御して、スタンバイ移行指示信号をプロジェクター本体１に送信させる（ステップＳ６）。
【００８４】
プロジェクター本体１にあっては、リモコン２から送信されたスタンバイ移行指示信号を信号受信部１５により受信すると、ＣＰＵ１８は、所定の制御プログラムの実行に基づいて、光源ランプ１２１を消灯させるとともに、タイマ１９を制御して光源ランプ１２１の使用時間の計時を停止させる（ステップＳ７）。
【００８５】
続けて、ＣＰＵ１８は、ＥＥＰＲＯＭ１６から使用時間調整情報取得プログラム１６ｅを読み出してＲＡＭ１７に展開し、この使用時間調整情報取得プログラム１６ｅの実行に基づいて、タイマ１９により計時された光源ランプ１２１の使用時間に対応する回転速度調整量を使用時間調整テーブルｔ３から取得する使用時間調整情報取得処理を実行する（ステップＳ８１）。
【００８６】
また、ＣＰＵ１８は、ＥＥＰＲＯＭ１６から温度調整情報取得プログラム１６ｄを読み出してＲＡＭ１７に展開し、この温度調整情報プログラムの実行に基づいて、温度センサ１４から出力されて入力された温度情報に係る光源ランプ１２１の温度に対応する回転速度調整量を温度調整テーブルｔ２から取得する温度調整情報取得処理を実行する（ステップＳ８２）。
【００８７】
次に、ＣＰＵ１８は、平均冷却時間調整情報取得処理、使用時間調整情報取得処理及び温度調整情報取得処理にて取得されたそれぞれの回転速度調整量を加算した値に基づいて冷却用ファン１３の回転速度を設定して、設定された回転速度に従って冷却用ファン１３の回転速度を高速として、平均冷却時間算出処理にて算出された光源ランプ１２１の平均冷却時間に従って当該冷却用ファン１３を駆動させる（ステップＳ９）。
【００８８】
また、ステップＳ７にて、光源ランプ１２１が消灯されると、ＣＰＵ１８は、所定の制御プログラムを実行して、タイマ１９による計時を開始させる（ステップＳ８３）。
【００８９】
そして、ユーザによる電源スイッチ１０１の所定操作に基づいて電力供給が遮断されると（ステップＳ１０）、ＣＰＵ１８の制御下にて、タイマ１９により計時された時間を光源ランプ１２１の冷却時間としてＥＥＰＲＯＭ１６に記憶させる（ステップＳ１１）。
【００９０】
なお、ステップＳ８３にて計時が開始された時間（光源ランプ１２１の冷却時間）が平均冷却時間以上となると、即ち、平均冷却時間を経過してもユーザによって電源スイッチ１０１等が操作されずに電力供給が遮断された状態となっていない場合には、ＣＰＵ１８は、所定の制御プログラムの実行に基づいて、冷却用ファン１３の回転速度を通常状態に戻すようになっている。
【００９１】
以上のように、本実施形態のプロジェクター１００によれば、スタンバイモードに移行されて光源ランプ１２１の消灯後、電源部１０からの電力供給が遮断されるまでにＣＰＵ１８の制御下にて冷却用ファン１３が回転駆動されて光源ランプ１２１が冷却される冷却時間がタイマ１９により計時され、光源ランプ１２１が消灯される毎に計時される冷却時間に基づいて、これまでの光源ランプ１２１の平均冷却時間が算出され、さらに、当該平均冷却時間に対応する回転速度調整量が平均冷却時間調整テーブルｔ１から取得され、また、光源ランプ１２１の温度に対応する回転速度調整量が温度調整テーブルｔ２から取得され、また、光源ランプ１２１の使用時間に対応する回転速度調整量が使用時間調整テーブルｔ３から取得されるようになっている。そして、これらの回転速度調整量に基づいて冷却用ファン１３の回転速度が設定され、当該回転速度、及び、算出された光源ランプ１２１の平均冷却時間に従って冷却用ファン１３が駆動するようになっている。即ち、ユーザによる使用状況及び光源ランプ１２１の使用状態を考慮して、これまでの光源ランプ１２１の平均冷却時間内で光源ランプ１２１の冷却を行うことができるように、冷却用ファン１３の回転速度を回転速度調整量に基づいて適正に調整することができる。
【００９２】
これにより、冷却用ファン１３の回転速度を必要以上に高速化することなく、光源ランプ１２１の冷却を効率良く行うことができる。加えて、当該冷却用ファン１３の回転速度の高速化に伴って発生する騒音が大きくなるのを防止して使い勝手に優れるプロジェクター１００を提供することができる。
【００９３】
なお、本発明は、上記実施形態に限定されることなく、本発明の趣旨を逸脱しない範囲において、種々の改良並びに設計の変更を行っても良い。
【００９４】
例えば、冷却用ファン１３の回転速度を、光源ランプ１２１の平均冷却時間、温度及び使用時間を考慮して調整するようにしたが、これに限られるものではなく、少なくとも光源ランプ１２１の平均冷却時間に係る回転速度調整量に基づいて調整するような構成であれば、光源ランプ１２１の温度、使用時間のそれぞれに係る回転速度調整量を用いるか否かは適宜変更することができる。
【００９５】
また、上記実施形態では、スタンバイモード指示手段としてのスタンバイ状態切替スイッチ２２をリモコン２に設けるようにしたが、これに限られるものではなく、プロジェクター本体１に設けるようにしても良い。
【００９６】
さらに、上記実施形態では、電力供給の遮断を電源スイッチ１０１の操作に基づいて行うようにしたが、電源プラグをコンセントから取り外すことで行うようにしても良い。
【００９７】
また、投影部１２の構成は、上記のものに限られるものではなく適宜変更しても良い。例えば、光源ランプ１２１から出射される光を、Ｒ（赤）、Ｇ（緑）、Ｂ（青）の何れかの単色光に切り替える回転式の分割カラーフィルタであるカラーホイールを設けるようにしても良い。
【図面の簡単な説明】
【００９８】
【図１】本発明を適用した投射型映像表示装置の好適な一実施形態として例示するプロジェクターを示す斜視図である。
【図２】図１のプロジェクターの要部構成を示すブロック図である。
【図３】図１のプロジェクターによる光源ランプ冷却処理にて用いられる平均冷却時間調整テーブルを示す図である。
【図４】図１のプロジェクターによる光源ランプ冷却処理にて用いられる温度調整テーブルを示す図である。
【図５】図１のプロジェクターによる光源ランプ冷却処理にて用いられる使用時間調整テーブルを示す図である。
【図６】図１のプロジェクターによる光源ランプ冷却処理に係る動作の一例を示すフローチャートである。
【符号の説明】
【００９９】
１００  プロジェクター（投射型映像表示装置）
１      プロジェクター本体
１２１  光源ランプ
１３    冷却用ファン
１４    温度センサ（温度検出手段）
１６    ＥＥＰＲＯＭ（平均冷却時間調整情報記録手段、温度調整情報記録手段、使用時間調整情報記録手段）
ｔ１    平均冷却時間調整テーブル
ｔ２    温度調整テーブル
ｔ３    使用時間調整テーブル
１８    ＣＰＵ（ファン駆動制御手段、平均時間算出手段、平均冷却時間調整情報取得手段、温度調整情報取得手段、使用時間調整情報取得手段）
１９    タイマ（冷却時間計時手段、使用時間計時手段）
１０    電源部（電力供給手段）
１０１  電源スイッチ
２      リモートコントローラ
２２    スタンバイ状態切替スイッチ（スタンバイモード指示手段）
【図１】
2007003638.tif 000003
【図２】
2007003638.tif 000004
【図３】
2007003638.tif 000005
【図４】
2007003638.tif 000006
【図５】
2007003638.tif 000007
【図６】
2007003638.tif 000008